(57)【要約】【課題】直交する２方向の座標位置を検出することができると共に複数の検出導体の集まりである検出ランドの数を減らすことができるようにする。【解決手段】第１の方向Ｘの座標を検出する第１の検出部１６と、第２の方向Ｙの座標を検出する第２の検出部１７とから構成されたセンサを備え、第１の検出部１６は、第１の検出ランド２１と、第２の検出ランド２２、第３の検出ランド２３を含む。同様に、第２の検出部１７は、第１の検出ランド２１と、第２の検出ランド２２、第３の検出ランド２３を含む。第１の検出部１６及び第２の検出部１７を重ね合わせた際、第１の検出部１６を構成する検出ランドと第２の検出部１７を構成する検出ランドとは、互いに相補的配置関係を有するとともに、電気的に絶縁されている。【選択図】図４
2011022843.tif 000002
【特許請求の範囲】
【請求項１】
第１の方向に配置された複数の第１の導体から成る導体パターンと、前記第１の方向とは異なる第２の方向に配置された複数の第２の導体から成る導体パターンから構成されるとともに、前記複数の第１の導体から成る導体パターンと前記複数の第２の導体から成る導体パターンとは互いに電気的に絶縁されているセンサ上にて指示体が指示する位置を前記センサと前記指示体との間の静電結合の変化に基づいて検出する信号検出回路を備える指示体位置検出装置であって、
前記第１の導体は、第１の検出ランド、第２の検出ランド、及び第３の検出ランドを備えており、第１の検出ランド、第２の検出ランド、及び第３の検出ランドのそれぞれは、前記第１の方向に互いに離間して配置されるとともに、前記第２の方向に対しても互いに離間して配置されており、更には前記第１の検出ランド、第２の検出ランド、及び第３の検出ランドは互いが電気的に接続されて一体的な導体パターンを形成しており、
前記第２の導体は、第１の検出ランド、第２の検出ランド、及び第３の検出ランドを備えており、第１の検出ランド、第２の検出ランド、及び第３の検出ランドのそれぞれは、前記第２の方向に互いに離間して配置されるとともに、前記第１の方向に対しても互いに離間して配置されており、更には前記第１の検出ランド、第２の検出ランド、及び第３の検出ランドは互いが電気的に接続されて一体的な導体パターンを形成しており、
前記複数の第１の導体によって形成される導体パターンと前記複数の第２の導体によって形成される導体パターンとは各々の導体パターンが重ね合わされた際に互いに相補的配置関係を備えていることを特徴とする指示体位置検出装置。
【請求項２】
前記第１の導体を構成する第１の検出ランド、第２の検出ランド、及び第３の検出ランドの少なくとも２つの検出ランドの面積は互いに異なっていることを特徴とする請求項１に記載の指示体位置検出装置。
【請求項３】
前記第１の導体を構成する第１の検出ランド、第２の検出ランド、及び第３の検出ランドの少なくとも２つの検出ランドの面積は互いに異なっており、更には、前記第２の導体を構成する第１の検出ランド、第２の検出ランド、及び第３の検出ランドの少なくとも２つの検出ランドの面積もまた互いに異なっていることを特徴とする請求項１に記載の指示体位置検出装置。
【請求項４】
前記第１の導体を構成する第３の検出ランドは、前記第１の方向に対し前記第１の検出ランドから最も離間されて配置されているとともに、前記第２の検出ランドの面積は前記第１の検出ランドよりも小さく、第３の検出ランドの面積は前記第２の検出ランドよりも小さいことを特徴とする請求項１に記載の指示体位置検出装置。
【請求項５】
前記第１の導体を構成する第３の検出ランドは、前記第１の方向に対し前記第１の検出ランドから最も離間されて配置されているとともに、前記第２の検出ランドの面積は前記第１の検出ランドよりも小さく、第３の検出ランドの面積は前記第２の検出ランドよりも小さく、更には、前記第２の導体を構成する第３の検出ランドは、前記第２の方向に対し前記第１の検出ランドから最も離間されて配置されているとともに、前記第２の検出ランドの面積は前記第１の検出ランドよりも小さく、第３の検出ランドの面積は前記第２の検出ランドよりも小さいことを特徴とする請求項１に記載の指示体位置検出装置。
【請求項６】
前記導体パターンを構成する第１の方向に配置された複数の第１の導体は基板の一面に設けられるとともに、前記第１の方向とは異なる第２の方向に配置された複数の第２の導体は前記基板の他方の面に設けられていることを特徴とする請求項１に記載の指示体位置検出装置。
【請求項７】
前記導体パターンを構成する第１の方向に配置された複数の第１の導体と、前記第１の方向とは異なる第２の方向に配置された複数の第２の導体のそれぞれは、基板の一面に互いが電気的に絶縁されて設けられていることを特徴とする請求項１に記載の指示体位置検出装置。
【請求項８】
第１の方向に配置された複数の第１の導体から成る導体パターンと、前記第１の方向とは異なる第２の方向に配置された複数の第２の導体から成る導体パターンから構成されるとともに前記複数の第１の導体から成る導体パターンと前記複数の第２の導体から成る導体パターンとは互いに電気的に絶縁されたセンサ上にて指示体が指示する位置を前記センサと前記指示体との間の静電結合の変化に基づいて検出するための指示体位置検出のためのセンサであり、
前記第１の導体は、第１の検出ランド、第２の検出ランド、及び第３の検出ランドを備えており、第１の検出ランド、第２の検出ランド、及び第３の検出ランドのそれぞれは、前記第１の方向に互いに離間して配置されるとともに、前記第２の方向に対しても互いに離間して配置されており、更には前記第１の検出ランド、第２の検出ランド、及び第３の検出ランドは互いが電気的に接続されて一体的な導体パターンを形成しており、
前記第２の導体は、第１の検出ランド、第２の検出ランド、及び第３の検出ランドを備えており、第１の検出ランド、第２の検出ランド、及び第３の検出ランドのそれぞれは、前記第２の方向に互いに離間して配置されるとともに、前記第１の方向に対しても互いに離間して配置されており、更には前記第１の検出ランド、第２の検出ランド、及び第３の検出ランドは互いが電気的に接続されて一体的な導体パターンを形成しており、
前記複数の第１の導体によって形成される導体パターンと前記複数の第２の導体によって形成される導体パターンとは各々の導体パターンが重ね合わされた際に互いに相補的配置関係を備えていることと特徴とする指示体位置検出のためのセンサ。
【請求項９】
前記第１の導体を構成する第１の検出ランド、第２の検出ランド、及び第３の検出ランドの少なくとも２つの検出ランドの面積は互いに異なっていることを特徴とする請求項８に記載の指示体位置検出のためのセンサ。
【請求項１０】
前記第１の導体を構成する第１の検出ランド、第２の検出ランド、及び第３の検出ランドの少なくとも２つの検出ランドの面積は互いに異なっており、更には、前記第２の導体を構成する第１の検出ランド、第２の検出ランド、及び第３の検出ランドの少なくとも２つの検出ランドの面積もまた互いに異なっていることを特徴とする請求項８に記載の指示体位置検出のためのセンサ。
【請求項１１】
前記第１の導体を構成する第３の検出ランドは、前記第１の方向に対し前記第１の検出ランドから最も離間されて配置されているとともに、前記第２の検出ランドの面積は前記第１の検出ランドよりも小さく、第３の検出ランドの面積は前記第２の検出ランドよりも小さいことを特徴とする請求項８に記載の指示体位置検出のためのセンサ。
【請求項１２】
前記第１の導体を構成する第３の検出ランドは、前記第１の方向に対し前記第１の検出ランドから最も離間されて配置されているとともに、前記第２の検出ランドの面積は前記第１の検出ランドよりも小さく、第３の検出ランドの面積は前記第２の検出ランドよりも小さく、更には、前記第２の導体を構成する第３の検出ランドは、前記第２の方向に対し前記第１の検出ランドから最も離間されて配置されているとともに、前記第２の検出ランドの面積は前記第１の検出ランドよりも小さく、第３の検出ランドの面積は前記第２の検出ランドよりも小さいことを特徴とする請求項８に記載の指示体位置検出のためのセンサ。
【請求項１３】
前記導体パターンを構成する第１の方向に配置された複数の第１の導体は基板の一面に設けられるとともに、前記第１の方向とは異なる第２の方向に配置された複数の第２の導体は前記基板の他方の面に設けられていることを特徴とする請求項８に記載の指示体位置検出のためのセンサ。
【請求項１４】
前記導体パターンを構成する第１の方向に配置された複数の第１の導体と、前記第１の方向とは異なる第２の方向に配置された複数の第２の導体のそれぞれは、基板の一面に互いが電気的に絶縁されて設けられていることを特徴とする請求項８に記載の指示体位置検出のためのセンサ。
【発明の詳細な説明】
【技術分野】
【０００１】
本発明は、人体（手、指）あるいはペンなどの位置指示体と位置指示体を検出するための導体との静電結合の変化を測定することで座標位置を検出する位置検出装置及び指示体位置検出のためのセンサに関する。
【背景技術】
【０００２】
従来、パーソナルコンピュータ装置等の情報処理装置における位置入力を行うための装置として、位置検出装置が用いられている。この位置検出装置は、例えば、入力手段としての人体（手指）あるいはペンなどの指示体によりポインティング操作や文字及び図等の入力情報が入力される。この位置検出装置は、位置指示体を検出するための導体と人体（手、指）との間に生じる静電結合の変化から手指の接近を検出している（例えば、特許文献１参照。）。この特許文献１に示すタッチセンサは、一方向の座標位置を検出するものである。
【０００３】
近年、検出面と平行となる第１の方向と、検出面と平行で、且つ第１の方向と交差する第２の方向の２方向の座標位置を検出することができる位置検出装置が提案されている。次に、図１１Ａ〜図１１Ｃを参照して、２方向の座標位置を検出することができる従来の位置検出装置について説明する。
【０００４】
図１１に、従来の位置検出装置１００の具体的な構成を示す。図１１Ａは、従来の位置検出装置１００の検出部を示す平面図である。図１１Ｂは、従来の位置検出装置１００における第１の検出部を示す平面図、図１１Ｃは、従来の位置検出装置１００における第２の検出部を示す平面図である。
【０００５】
図１１Ａに示すように、この位置検出装置１００は、略四角形状の複数の検出ランド１０２が配置された検出部１０１を有している。この検出部１０１は、一面に略長方形状の検出面である検出領域１０４を有している。図１１Ｂ、図１１Ｃで述べるように、検出領域１０４は、検出面と平行となる第１の方向Ｘの位置座標を検出する第１の検出部１０６と、検出面と平行で、且つ第１の方向Ｘと交差する第２の方向Ｙの位置座標を検出する第２の検出部１０７とから構成されている。
【０００６】
図１１Ｂに示すように、第１の検出部１０６は、検出領域１０４の第２の方向Ｙと平行に所定の間隔を空けて複数接続した検出ランド１０２の集まりによって、複数の第１の検出導体１０８の導体パターンを構成する。そして、この第１の検出部１０６は、第１の方向Ｘの検出領域の長さＴの範囲において、複数の第１の検出導体１０８を、検出領域１０４の第１の方向Ｘと平行に所定の間隔Ｕを空けて複数並べて形成されている。なお、この例では、５個の第１の検出導体１０８が設けられている。
【０００７】
図１１Ｃに示すように、第２の検出部１０７は、検出領域１０４の第１の方向Ｘと平行に所定の間隔を空けて複数接続した検出ランド１０２の集まりによって、複数の第２の検出導体１０９の導体パターンを構成する。そして、この第２の検出部１０７は、複数の第２の検出導体１０９を、検出領域１０４の第２の方向Ｙに所定の間隔を空けて複数並べて形成されている。
【０００８】
そして、この第１の検出部１０６及び第２の検出部１０７は、第１及び第２の検出部１０６，１０７における各検出ランド１０２の隙間を互いに埋めるよう配置されて、図１１Ａに示すような検出領域１０４を構成している。
【先行技術文献】
【特許文献】
【０００９】
【特許文献１】特開２００４−３３３３０２号公報
【発明の概要】
【発明が解決しようとする課題】
【００１０】
図１１Ａ〜図１１Ｃに示す従来の位置検出装置１００は、図１１Ａに示すように第１の検出部１０６と第２の検出部１０７を重ね合わせた状態では、各検出ランド１０２が隙間無く並んでいるように見える。しかしながら、図１１Ｂに示すように、第１の方向Ｘを検出するための第１の検出部１０６だけでは、一定の大きさの隙間が空いていることがわかる。そのため、この隙間よりも大きい面積の指Ｒは、検出することができるが、この隙間よりも小さい面積の指Ｓが各検出ランド１０２の隙間にて接触または接近しても、指Ｓが検出ランド１０２に対して電気的に影響を及ぼさない。その結果、第１の方向Ｘの座標位置を検出することができない、という問題があった。
【００１１】
そこで、より小さな面積での接触または接近も検出することができるようにするためには、検出ランド間の隙間を小さくする必要がある。そのため、各検出ランド間の隙間を小さくするために、検出ランドの大きさを小さくし、複数の検出ランドの集まりである検出導体の数を増やすことが考えられる。しかしながら、検出導体の数を増やすと、回路のコストアップや、検出時間の増加につながる、という不都合があった。
【００１２】
本発明の目的は、上述の問題点を考慮し、複数の検出ランドの集まりである検出導体の数を減らすことができる位置検出装置及び指示体位置検出のためのセンサを提供することにある。
【課題を解決するための手段】
【００１３】
本発明の位置検出装置は、第１の方向に配置された複数の第１の導体からなる導体パターンと、第１の方向とは異なる第２の方向に配置された複数の第２の導体からなる導体パターンから構成されるとともに、複数の第１の導体からなる導体パターンと複数の第２の導体から成る導体パターンとは互いに電気的に絶縁されているセンサ上にて指示体が指示する位置をセンサと指示体との間の静電結合の変化に基づいて検出する信号検出回路を備えている。
第１の導体は、第１の検出ランド、第２の検出ランド、及び第３の検出ランドを備えており、第１の検出ランド、第２の検出ランド、及び第３の検出ランドのそれぞれは、第１の方向に互いに離間して配置されるとともに、第２の方向に対しても互いに離間して配置されており、更には第１の検出ランド、第２の検出ランド、及び第３の検出ランドは互いが電気的に接続されて一体的な導体パターンを形成している。
第２の導体は、第１の検出ランド、第２の検出ランド、及び第３の検出ランドを備えており、第１の検出ランド、第２の検出ランド、及び第３の検出ランドのそれぞれは、第２の方向に互いに離間して配置されるとともに、第１の方向に対しても互いに離間して配置されており、更には第１の検出ランド、第２の検出ランド、及び第３の検出ランドは互いが電気的に接続されて一体的な導体パターンを形成している。
そして、複数の第１の導体によって形成される導体パターンと複数の第２の導体によって形成される導体パターンとは各々の導体パターンが重ね合わされた際に互いに相補的配置関係を備えていることを特徴とする。
【００１４】
また、本発明の指示体位置検出のためのセンサは、第１の方向に配置された複数の第１の導体から成る導体パターンと、第１の方向とは異なる第２の方向に配置された複数の第２の導体から成る導体パターンから構成されるとともに複数の第１の導体から成る導体パターンと複数の第２の導体から成る導体パターンとは互いに電気的に絶縁されたセンサ上にて指示体が指示する位置をセンサと指示体との間の静電結合の変化に基づいて検出するための指示体位置検出のためのセンサである。
第１の導体は、第１の検出ランド、第２の検出ランド、及び第３の検出ランドを備えており、第１の検出ランド、第２の検出ランド、及び第３の検出ランドのそれぞれは、第１の方向に互いに離間して配置されるとともに、第２の方向に対しても互いに離間して配置されており、更には第１の検出ランド、第２の検出ランド、及び第３の検出ランドは互いが電気的に接続されて一体的な導体パターンを形成している。
第２の導体は、第１の検出ランド、第２の検出ランド、及び第３の検出ランドを備えており、第１の検出ランド、第２の検出ランド、及び第３の検出ランドのそれぞれは、第２の方向に互いに離間して配置されるとともに、第１の方向に対しても互いに離間して配置されており、更には前記第１の検出ランド、第２の検出ランド、及び第３の検出ランドは互いが電気的に接続されて一体的な導体パターンを形成しており、
そして、複数の第１の導体によって形成される導体パターンと複数の第２の導体によって形成される導体パターンとは各々の導体パターンが重ね合わされた際に互いに相補的配置関係を備えていることと特徴とする指示体位置検出のためのセンサ。
【発明の効果】
【００１５】
本発明の位置検出装置及び指示体位置検出のためのセンサによれば、検出部の検出面と平行となる２方向の座標を検出できると共に、導体パターンの構成する第１の導体及び第２の導体のそれぞれは、第１の検出ランド、第２の検出ランド、及び第３の検出ランドを含むとともに、互いが２次元的に離間して配置されるとともに電気的に接続された構成を有しているために、第１の導体及び第２の導体の数を減らすことができる。その結果、回路のコストダウンを図ることができると共に、検出時間の短縮を図ることができる。更には、検出ランドの面積を異ならしめることで、指示体が指示する位置を効率良く求めることができる。
【図面の簡単な説明】
【００１６】
【図１】本発明の位置検出装置の実施の形態を示す斜視図である。
【図２】本発明の位置検出装置の構成を示すブロック図である。
【図３】本発明の位置検出装置にかかる入力部を示す分解斜視図である。
【図４】本発明の位置検出装置の第１の実施の形態例にかかる検出部を示す平面図である。
【図５】本発明の位置検出装置の第１の実施の形態例にかかる第１の検出部を示す平面図である。
【図６】本発明の位置検出装置の第１の実施の形態例にかかる第２の検出部を示す平面図である。
【図７】本発明の位置検出装置の第１の検出部にかかる検出ランドを示すもので、図７Ａは第１の検出部の一端部に配置された検出ランドを示す平面図、図７Ｃは第１の検出部の他端部に配置された検出ランドを示す平面図、図７Ｂは第１の検出部の一端部及び他端部以外の領域に配置された検出ランドを示す平面図である。
【図８】本発明の位置検出装置の第２の検出部にかかる検出ランドを示すもので、図８Ａは第２の検出部の一端部に配置された検出ランドを示す平面図、図８Ｃは、第２の検出部の他端部に配置された検出ランドを示す平面図、図８Ｂは第２の検出部の一端部及び他端部以外の領域に配置された検出ランドを示す平面図である。
【図９】本発明の位置検出装置にかかる検出部の構成を簡略化して示す平面図である。
【図１０】本発明の位置検出装置の第２の実施の形態例にかかる検出部を示すもので、図１０Ａは第１の検出部を示す平面図、図１０Ｂは第２の検出部を示す平面図である。
【図１１】従来の位置検出装置を示すもので、図１１Ａは検出部を示す平面図、図１１Ｂは第１の検出部を示す平面図、図１１Ｃは第２の検出部を示す平面図である。
【発明を実施するための形態】
【００１７】
以下、本発明の位置検出装置を実施するための第１〜第２の実施形態について、図１〜図１０を参照して説明するが、本発明は、以下の形態に限定されるものではない。なお、各図において共通の部材には、同一の符号を付している。
１．第１の実施の形態例
１−１．位置検出装置の構成例
１−２．位置検出装置の回路構成
１−３．検出部の構成例
１−４．位置検出装置の動作
２．第２の実施の形態例
【００１８】
＜１．第１の実施の形態例＞
１−１．位置検出装置の構成例
まず、本発明が適用される位置検出装置の概略構成を図１に従って説明する。この図１は、本発明が適用される位置検出装置を示す斜視図である。
この図１に示すように、本発明の実施の形態例（以下、「本例」という。）である位置検出装置１は、パーソナルコンピュータやＰＤＡ（Personal Digital Assistant）等の図示しない外部装置にケーブル１０を介して接続することによって、これら外部装置の入力装置として用いられるものである。なお、特に図示して説明していないが、かかる位置検出装置１をパーソナルコンピュータ等に内蔵しても良い。
【００１９】
そして、この位置検出装置１は、後述する静電結合方式の検出部であるセンサ１１を有しており、人体（手、指）あるいはペン先に例えば誘電体片が収納されたペンによる位置指示操作によって文字及び図等の入力が行われる（図２参照）。
【００２０】
位置検出装置１は、入力情報が入力される入力部４と、この入力部４を有する中空の薄い略直方体をなす筐体５等から構成されている。筐体５は、入力部４の入力面を露出させるための四角形の開口部６を有する上ケース７と、この上ケース７に重ね合わされる図示しない下ケースを有している。そして、上ケース７の開口部６には、入力部４が嵌め込まれる。
【００２１】
１−２．位置検出装置の回路構成
次に、本例を適用した位置検出装置の回路構成の概略を、図２を参照して説明する。図２は、本例を適用した位置検出装置の回路構成を示すブロック図である。
図２に示すように、位置検出装置１は、入力部４と、信号検出回路２６とを有している。入力部４は、絶縁体であるカバー１２と、静電結合の変化を検出するセンサ１１とから構成されている。つまり、センサ１１は、人体（手指）等の接近又は接触による静電結合の変化を検出し、その接近又は接触した点の座標を検出するために用いられる。
【００２２】
信号検出回路２６は、静電結合測定部２７と処理回路２８を含む。静電結合測定部２７は、センサ１１上に設けられた指示体による指示位置を検出するための検出導体における静電結合の変化を測定するための回路であり、センサ１１と、処理回路２８とに接続されている。処理回路２８は、静電結合測定部２７により検出した、指あるいはペン等により指示された点を座標データとして算出するための回路である。そして、この処理回路２８は、図示しない外部装置（例えば、パーソナルコンピュータやＰＤＡ）や、この位置検出装置１を内蔵したパーソナルコンピュータの中央演算装置（ＭＰＵ）等にその算出した座標データを出力するようになっている。
【００２３】
［入力部］
次に、本例の位置検出装置１の入力部４の構成を、図３を参照して説明する。図３は、本例の位置検出装置にかかる入力部４を示す分解斜視図である。
入力部４は、薄い平板状をなしており、上述したように、絶縁体であるカバー１２と、一方の面に検出面である検出領域１４を有するセンサ１１とから構成されている。そして、この入力部４は、カバー１２の一方の面とセンサ１１の一方の面が対向するように配置されている。このようにして、入力部４は、カバー１２とセンサ１１が重なり合っている。
【００２４】
１−３．検出部の構成例
次に、本例の位置検出装置１のセンサ１１の構成を図４〜図９を参照して説明する。図４は、センサ１１を示す平面図である。
まず図４に示すように、センサ１１は、略長方形の基板１３と、この基板１３の一方の面（以下、表面という）の略中央部に設けられた略長方形の検出領域１４とから構成されている。検出領域１４は、人体（手、指）あるいはペン等の接近又は接触を検出してその接近又は接触した点の座標を検出するためのものである。この検出領域１４は、検出領域１４の長手方向である第１の方向Ｘの座標を検出する第１の検出部１６と、検出領域１４の短手方向である第２の方向Ｙの座標を検出する第２の検出部１７によって形成されている。なお、第１の検出部１６が本発明の複数の第１の導体に相当する。また、第２の検出部１７が本発明の複数の第２の導体に相当する。
【００２５】
［第１の検出部・第２の検出部］
次に、第１の検出部１６及び第２の検出部１７の詳細を図５及び図６を参照して説明する。図５は、第１の検出部１６を示す平面図、図６は、第２の検出部１７を示す平面図である。
【００２６】
図５に示す例では、第１の検出部１６は、検出領域１４の第１の方向Ｘに沿って並べられた、複数の第１の導体を構成する、４個の導体１８Ａ，１８Ｂ，１８Ｃ，１８Ｄを有している。導体１８Ａは、検出領域１４における第１の方向Ｘの一端側（左端側）に配置されている。導体１８Ｂは、導体１８Ａの第１の方向Ｘの他端側（右側）に配置され、導体１８Ｃは、導体１８Ｂの第１の方向Ｘの他端側（右側）に配置されている。また、導体１８Ｄは、導体１８Ｃの第１の方向Ｘの他端側（右側）、すなわち検出領域１４における第１の方向Ｘの他端側（右端側）に配置されている。
【００２７】
また、図６に示すように、第２の検出部１７は、検出領域１４の第２の方向Ｙに沿って並べられた、複数の第２の導体を構成する、３個の第２の導体１９Ａ，１９Ｂ，１９Ｃを有している。導体１９Ａは、検出領域１４における第２の方向Ｙの一端側（上端側）に配置されている。導体１９Ｂは、検出領域１４における第２の方向Ｙの略中央に配置されている。また、導体１９Ｃは、検出領域１４における第２の方向Ｙの他端側（下端側）に配置されている。
【００２８】
次に、第１の検出部１６にかかる４個の第１の導体１８Ａ〜１８Ｄの詳細を、図７Ａ〜図７Ｃを参照して説明する。図７Ａは、導体１８Ａを示す平面図、図７Ｂは、導体１８Ｂ，１８Ｃを示す平面図、図７Ｃは、導体１８Ｄを示す平面図である。
【００２９】
まず、図７Ａの例では、導体１８Ａは、４個の第１の検出ランド２１と、５個の第２の検出ランド２２、４個の第３の検出ランド２３、及び５個の第４の検出ランド２４を含む導体パターンを有する。４個の第１の検出ランド２１は、略四角形状に形成されている。そして、第２の方向Ｙに沿って第１の検出ランド２１の長さと略等しい間隔を空けて直線状に並べて配置されている。すなわち、第１の検出ランド２１は、第１の検出部１６が信号を検出する方向と直交する方向に並べられている。
【００３０】
第２の検出ランド２２は、第１の検出ランド２１を略台形形状に切り欠いた形状に形成されている。第３の検出ランド２３もまた、第１の検出ランド２１を略台形状に切り欠いた形状に形成されており、第１の検出ランド２１の略半分の面積に設定されている。また、第４の検出ランド２４は、略三角形状に形成されている。そして、この第２の検出ランド２２と第４の検出ランド２４の面積の和は、第１の検出ランド２１と略等しくなるように設定されている。
【００３１】
５個の第２の検出ランド２２は、第１の検出ランド２１の第１の方向Ｘの他端側（右側）に第２の方向Ｙに沿って配置されている。すなわち、第２の検出ランド２２は、第１の検出ランド２１から第１の検出部１６が検出する方向である第１の方向Ｘに直交する第２の方向Ｙに沿って並べられたものである。そして、この５個の第２の検出ランド２２は、４個の第１の検出ランド２１に対して第１の方向Ｘに互い違いになるように配置されている。また、４個の第３の検出ランド２３は、第２の検出ランド２２の第１の方向Ｘの他端側（右側）で、第２の検出ランド２２と互い違いになるように配置されている。
【００３２】
更に、５個の第４の検出ランド２４は、第３の検出ランド２３の第１の方向Ｘの他端側（右側）で、第３の検出ランド２３と互い違いになるように配置されている。従って、第１の検出ランド２１、第２の検出ランド２２、第３の検出ランド２３、および第４の各検出ランド２４は、第１の方向Ｘに沿って、この順番に配置され、電気的に接続される。また、第１の検出ランド２１と第２の検出ランド２２、第２の検出ランド２２と第３の検出ランド２３、および第３の検出ランド２３と第４の検出ランド２４は、第２の方向Ｙに沿って互い違いとなるように配置される。
【００３３】
この構成によって、第２の検出ランド２２、第３の検出ランド２３、第４の検出ランド２４は、隣り合う導体１８Ｂの第１の検出ランド２１に近づくにつれて、その面積が段階的に小さくなるように配置される。そして、導体１８Ａを構成する４種類の検出ランド２１〜２４を一直線状に整列配置した場合、略直角三角性状になり、その面積は連続的に変化する。
【００３４】
４個から成る、第１の検出ランド２１、第２の検出ランド２２、第３の検出ランド２３、第４の検出ランド２４は、点線で示した配線２５ａによって互いに電気的に接続されている。更には、第１の検出ランド２１は配線２５で互いに電気的に接続されており、この配線２５は、静電結合測定部２７に接続されている。これにより、導体１８Ａは、配線２５を介して静電結合測定部２７に接続される。
【００３５】
次に、導体１８Ｂと導体１８Ｃの構成について説明するが、導体１８Ｂと導体１８Ｃは、同一の構成を有しているため、ここでは、導体１８Ｂについて説明する。
【００３６】
図７Ｂに示すように、導体１８Ｂは、４個の第１の検出ランド２１、１０個の第２の検出ランド２２、８個の第３の検出ランド２３、及び１０個の第４の検出ランド２４を含む導体パターンを有する。導体１８Ｂは、導体１８Ａにおける検出ランドの配置から更に１４個から成る、第２の検出ランド２２、第３の検出ランド２３、第４の検出ランド２４を設けたものである。
【００３７】
すなわち、４個の第１の検出ランド２１から第１の方向Ｘの両端側に向けて、２８個から成る第２の検出ランド２２、第３の検出ランド２３、及び第４の検出ランド２４が配置されている。この２８個の検出ランドは、４個の第１の検出ランド２１の列の中心の点Ｏを基準に点対称となるように配置されている。そのため、２８個の検出ランドは、第１の検出ランド２１から第１の方向Ｘに離れるにつれて、その面積が段階的に小さくなるように配置されている。
【００３８】
また、図５に示すように、導体１８Ｂにおける４個の第１の検出ランド２１は、導体１８Ａにおける４個の第１の検出ランド２１から第１の方向Ｘに所定の間隔を空けて配置されている。すなわち、２つの導体１８Ａ，１８Ｂの第１の検出ランド２１は、第１の検出部１６が検出する方向に沿って所定の間隔を空けて配置されている。この間隔は、３個の第１の検出ランド２１を直線状に並べた長さと略等しいか、或いは若干長くなるように設定されている。なお、導体１８Ｂの第１の検出ランド２１と、導体１８Ｃの第１の検出ランド２１の間にも同様の間隔が設けられている。
【００３９】
更に、導体１８Ａと同様に、４個の第１の検出ランド２１及び２８個の検出ランドは、配線２５ａによって互いに接続されている。そして、導体１８Ｂ及び導体１８Ｃは、配線２５を介して静電結合測定部２７に接続されている。
【００４０】
図７Ｃに示すように、導体１８Ｄは、導体１８Ａと同様に、４個の第１の検出ランド２１と、５個の第２の検出ランド２２、４個の第３の検出ランド２３、及び５個の第４の検出ランド２４を含む導体パターンを備える。そして、この導体１８Ｄでは、５個の第２の検出ランド２２が４個の第１の検出ランド２１から第１の方向Ｘの一端側（左側）に向けて配置されている。また、４個の第３の検出ランド２３が５個の第２の検出ランド２２から第１の方向Ｘの一端側（左側）に向けて配置されている。同様に、５個の第４の検出ランド２４が４個の第３の検出ランド２３から第１の方向Ｘの一端側（左側）に向けて配置されている。そのため、導体１８Ａ〜１８Ｃと同様に、第２の検出ランド２２、第３の検出ランド２３、及び第４の検出ランド２４は、第１の検出ランド２１から第１の方向Ｘの一端側（左側）に向けてこの順番で、その面積は小さくなっている。
【００４１】
なお、第１、第２、第３、第４の検出ランドのそれぞれは互いが配線２５ａで電気的に接続されている。また、第１の検出ランド２１と第２の検出ランド２２、第２の検出ランド２２と第３の検出ランド２３、および第３の検出ランド２３と第４の検出ランド２４は、第２の方向Ｙに沿って互い違いとなるように配置される。
【００４２】
また、図５に示すように、導体１８Ｄにおける４個の第１の検出ランド２１は、導体１８Ｃにおける４個の第１の検出ランド２１から第１の方向Ｘに所定の間隔を空けて配置されている。この間隔の長さは、上述した、導体１８Ａの第１の検出ランド２１と導体１８Ｂの第１の検出ランド２１との間隔の長さと同じである。
【００４３】
更に、導体１８Ａ〜１８Ｃと同様に、導体１８Ｄは、配線２５を介して静電結合測定部２７に接続されている。
【００４４】
図５に示すように、このような構成を有する４個の導体１８Ａ〜１８Ｄを、検出領域１４の第１の方向Ｘに沿って並べると、第２の検出ランド２２は、導体１８Ａ〜１８Ｄのそれぞれを構成する第１の検出ランド２１の列の間に配置される。
【００４５】
隣り合う導体１８Ａ〜１８Ｄにおいて、第１の検出ランド２１は、第３の検出ランド２３と同一面上で向かい合って配置される。
【００４６】
同様に、隣り合う導体１８Ａ〜１８Ｄにおいて、第３の検出ランド２３は、第４の検出ランド２４と向かい合って配置される。また、隣り合う導体１８Ａ〜１８Ｄにおいて、第４の検出ランド２４は、第１の検出ランド２１と向かい合って配置される。
【００４７】
次に、図６で示した第２の検出部１７にかかる３個の導体１９Ａ〜１９Ｃの詳細を、図８Ａ〜図８Ｃを参照して説明する。図８Ａは、導体１９Ａを示す平面図、図８Ｂは、導体１９Ｂを示す平面図、図８Ｃは、導体１９Ｃを示す平面図である。なお、この３個の導体１９Ａ〜１９Ｃは、第１の検出部１６にかかる４個の導体１８Ａ〜１８Ｄを９０度回転させたものと同様の構成である。
【００４８】
まず、図８Ａに示すように、導体１９Ａは、７つの第１の検出ランド２１と、６個の第２の検出ランド２２、７個の第３の検出ランド２３、及び６個の第４の検出ランド２４を含む導体パターンを備える。ここで、第１の検出ランド２１及び第２の検出ランド２２は、上述した第１の検出部１６にかかる第１の検出ランド２１及び第２の検出ランド２２と同一の構成を有しているため、その説明は省略する。
【００４９】
７つの第１の検出ランド２１は、第１の方向Ｘに沿って第１の検出ランド２１の長さと略等しい間隔を空けて直線状に並べて配置されている。よって、この第２の検出部１７にかかる第１の検出ランド２１は、第２の検出部１７が検出する方向と交差する方向に並べられている。
【００５０】
１９個から成る、第２の検出ランド２２、第３の検出ランド２３、及び第４の検出ランド２４は、第１の検出ランド２１から第２の方向Ｙの他端側（下方側）に向けて、その面積が小さくなるように配置されている。すなわち、第２の検出ランド２２は、第１の検出ランド２１から第２の検出部１７が検出する方向である第２の方向Ｙに沿って並べられたものである。これらのランドの面積は、図７で示したように、所定の関係を有している。
【００５１】
更に、第１の検出ランド２１、第２の検出ランド２２、第３の検出ランド２３、及び第４の検出ランド２４は配線２５ａによって互いに電気的に接続されている。また、導体１９Ａ〜１９Ｃのそれぞれは、配線２５によって、静電結合測定部２７に接続されている。
【００５２】
図８Ｂに示すように、導体１９Ｂは、７つの第１の検出ランド２１と、１２個の第２の検出ランド２２、１４個の第３の検出ランド２３、及び１２個の第４の検出ランド２４を含む導体パターンを備える。この導体１９Ｂは、導体１９Ａの導体の配置例から更に１９個から成る、第２の検出ランド２２、第３の検出ランド２３、及び第４の検出ランド２４を設けたものである。
【００５３】
すなわち、７つの第１の検出ランド２１から第２の方向Ｙの両端側に向けて、３８個の検出ランドが配置されている。この３８個の検出ランドは、７つの第１の検出ランド２１の列の中心の点Ｐを基準に点対称となるように配置されている。これにより、３８個の検出ランドは、第１の検出ランド２１から第２の方向Ｙに離れるにつれて、その面積が段階的に小さくなるように配置されている。
【００５４】
また、図６に示すように、導体１９Ｂにおける７個の第１の検出ランド２１は、導体１９Ａにおける７個の第１の検出ランド２１から第２の方向Ｙに対して所定の間隔を空けて配置されている。この間隔の長さは、上述した、第１の検出部１６における導体１８Ａの第１の検出ランド２１と導体１８Ｂの第１の検出ランド２１との間隔の長さと略等しく設定されている。
【００５５】
更に、導体１９Ａと同様に、７つの第１の検出ランド２１、１２個の第２の検出ランド２２、１４個の第３の検出ランド２３、及び１２個の第４の検出ランド２４は、配線２５ａによって互いが電気的に接続される。導体１９Ａ〜１９Ｃのそれぞれは、配線２５によって、静電結合測定部２７に接続されている。
【００５６】
図８Ｃに示すように、導体１９Ｃは、導体１９Ａと同様に、７つの第１の検出ランド２１と、６個の第２の検出ランド２２、７個の第３の検出ランド２３、及び６個の第４の検出ランド２４を含む導体パターンを備える。そして、この導体１９Ｃでは、これら１９個の検出ランドのそれぞれは、第１の検出ランド２１から第２の方向Ｙの一端側（上方側）に向けて配置されている。
【００５７】
また、図６に示すように、導体１９Ｃにおける７個の第１の検出ランド２１は、導体１９Ｂにおける７個の第１の検出ランド２１から第２の方向Ｙに対して所定の間隔を空けて配置されている。この間隔の長さも、第１の検出部１６における導体１８Ａの第１の検出ランド２１と導体１８Ｂの第１の検出ランド２１との間隔の長さと略等しく設定されている。
【００５８】
更に、導体１９Ｃは、導体１９Ａ，１９Ｂと同様に、それぞれの検出ランドが配線２５ａを介して互いに電気的に接続される。また、配線２５を介して静電結合測定部２７に接続されている。
【００５９】
図６に示すように、このような構成を有する導体１９Ａ〜１９Ｃを、検出領域１４の第２の方向Ｙに沿って並べると、隣り合う３つの導体１９Ａ〜１９Ｃにおける第２の検出ランド２２が第１の検出ランド２１の列の間に配置される。
【００６０】
そして、第１の検出部１６と同様に、第１〜第３の検出ランド２１〜２３が、隣り合う導体１９Ａ〜１９Ｃにおける第３〜第１の検出ランド２３〜２１と同一面上で向かい合って配置される。
【００６１】
このような構成を有する第１の検出部１６と第２の検出部１７を重ね合わせると、図４に示すように、第１の検出部１６を構成する第１及び第２の検出ランド２１，２２の隙間に、第２の検出部１７を構成する第１及び第２の検出ランド２１，２２が配置される。すなわち、第１の検出部１６を構成する第１及び第２の検出ランド２１，２２と、第２の検出部１７を構成する第１及び第２の検出ランド２１，２２が相補的配置関係を有して、格子状に配置されている。これにより、第１の検出部１６と第２の検出部１７を重ね合わせたときに、第１の検出部１６の第１の検出ランド２１及び第２の検出ランド２２と、第２の検出部１７の第１の検出ランド２１及び第２の検出ランド２２とが電気的に接触することを防ぐことができる。
【００６２】
なお、第１の検出部１６と第２の検出部１７を重ね合わせた際に、第１の検出ランド２１及び第２の検出ランド２２を接続するための配線２５ａが互いに重畳する領域が存在する。そのため、図４〜図８に点線で示す配線２５ａは、基板１３の他方の面（以下、裏面という。）側で第１の検出ランド２１と第２の検出ランド２２を接続している。このような構成を採用することで、第１の検出部１６と第２の検出部１７を重ね合わせた際に、第１の検出ランド２１と第２の検出ランド２２とを電気的に接続するための配線２５ａが互いに接触することを防止している。
【００６３】
なお、本例では、第１の検出部１６を構成する導体として導体１８Ａ、１８Ｂ、１８Ｃ、及び１８Ｄを配置し、第２の検出部１７を構成する導体として導体１９Ａ、１９Ｂ、及び１９Ｃ配置した例を説明したが、これに限定されるものではない。例えば、第１の検出部１６を５個以上の導体で構成してもよく、第２の検出部１７もまた４個以上の導体で構成してもよい。更に、検出ランドに関しても、本例では第１の検出ランド２１、第２の検出ランド２２、第３の検出ランド２３、及び第４の検出ランド２４から成る、４種類の検出ランドを設けた構成を有しているが、このような構成に限定されるものではない。すなわち、各導体は、第１の検出ランド２１、第２の検出ランド２２、第３の検出ランド２３から構成されても良い。あるいは、４種類以上の検出ランドの構成を採用することもできる。すなわち、検出領域１４の大きさや要求される検出精度によって適宜設定されるものである。
【００６４】
１−４．位置検出装置の動作
次に、本例の位置検出装置１の動作について説明する。図２に示す静電結合測定部２７は、複数の第１の検出ランド２１、第２の検出ランド２２、第３の検出ランド２３、及び第４の検出ランド２４に所定の電圧を印加する。そして、人体（手、指）あるいはペンなどの指示体がこれらの検出ランドに接近又は接触すると、例えば人体は接地体とみなされるため、人体とこの人体が接近又は接触した検出ランドとの間での静電結合が変化する。静電結合測定部２７は、この静電結合が変化した検出ランドを特定し、その位置及び静電結合の変化の度合い等をもとに演算処理を実行して、人体が接触した位置を検出するようになっている。誘電体を備えたペンを用いた場合にも、誘電体が検出ランドに対して影響を与えることで検出ランドとの静電結合が変化するため、静電結合測定部２７ではこの静電結合の変化に基づいてペンが指示する位置を検出する。
【００６５】
ここで、静電結合の変化は、人体と対向する検出ランドの面積に比例する。そして、各導体１８，１９を構成する検出ランドは、指示体を検出する方向に略比例してその面積が連続的に変化している。すなわち、検出ランドのそれぞれは、隣り合う導体１８，１９の第１の検出ランド２１に近づくにつれて、その面積が増大する。
【００６６】
更に、第１の導体１８及び第２の導体１９とを重ね合わせた場合において、第１の導体１８が備える検出ランドのそれぞれと、第２の導体１９が備える検出ランドのそれぞれとは互いに相補的配置関係を備えて面方向で重なり合っている。そのため、検出ランドに人体が接近又は接触した場合、導体１８，１９間における静電結合の変化の比率を見ることで、人体が接触した座標位置を正確に検出することが可能である。ペンを使用した場合も同様である。
【００６７】
次に、本例の検出部の構成を簡略化した図９を参照して、本例の位置検出装置の作用及び効果について説明する。
図９に示すセンサ３１の検出領域３４は、実線で示す第１の検出部３６と、点線で示す第２の検出部３７とから構成されている。第１の検出部３６を構成する第１の検出ランド４０と、第２の検出ランド４１を含む導体パターンを有している。第２の検出部３７もまた、第１の検出ランド４０及び第２の検出ランド４１を含む導体パターンを有している。
【００６８】
第１の検出ランド４０は、略四角形状に形成されており、第２の検出ランド４１は、略三角形状に形成されている。また、第２の検出ランド４１の面積は、第１の検出ランド４０の略半分に設定されている。なお、配線３８ａ、３８ｂ、３９ａ、及び３９ｂは、図示せずとも、図２に示す静電結合測定部２７と同様な構成の静電結合測定部に接続される。
【００６９】
第１の検出ランド４０は、第２の方向Ｙに沿って所定の間隔を空けて配置されている。また、第２の検出ランド４１は、第１の検出部３６の第１の検出ランド４０と第２の検出部３７の第１の検出ランド４０との間に配置されている。第１の検出部３６の第２の検出ランド４１と、第２の検出部３７とが同一面上で向き合って配置される。これにより、第１の検出部３６と第２の検出部３７は、第１の検出ランド４０と第２の検出ランド４１で第１の方向Ｘに沿って３列の検出座標列を形成している。
【００７０】
このとき、図１１に示すような従来の位置検出装置１００の構成では、第１の方向Ｘに沿った３列の検出導体で検出座標列を形成するために、３個の検出ランドが必要となる。これに対し、本発明の位置検出装置によれば、上述したように、２つの検出ランドによって３列の検出座標列を形成することができる。
【００７１】
図５にもどり、本例の位置検出装置１の第１の検出部１６では、第１の方向Ｘに沿って１３列の検出ランドが配置される。ここで、図１１に示すような従来の位置検出装置１００の構成では、第１の方向Ｘに沿って１３列の検出ランドを形成するために、１３個の検出導体が必要となる。また、図示せずとも、図２に示す静電結合測定部２７と同様な構成の静電結合測定部に接続するために、この列の数と同数の１３個の導体が必要とされる。しかしながら、本例では、同じ検出領域１４の第１の方向Ｘの位置を検出するためには、４個の導体１８Ａ〜１８Ｄで位置を検出することができる。これにより、図２に示す静電結合測定部２７と同様な構成の静電結合測定部に接続するための導体の数を減らすことができるため、回路のコストダウンを図ることができると共に、検出時間の短縮を図ることも可能である。
【００７２】
また、図６に示すように、検出領域１４の第２の方向Ｙの位置を検出するためには、従来では、９個の検出導体が必要であったのに対し、本例では、上述のごとく、３個の導体１９Ａ〜１９Ｃで位置を検出することができる。
【００７３】
なお、本例では、第２、第３，及び第４の検出ランドのおのおのの面積が、第１の検出ランド２１から離れるにつれて、３段階に順次小さくなる例を説明したが、これに限定されるものではない。例えば、上記の検出ランドのおのおのの面積を、第１の検出ランド２１に近づくにつれて、順次小さくなるようにしてもよい。
【００７４】
ここで、第１の検出部１６と第２の検出部１７を格子状に重畳配置する場合、隣り合う２つの導体１８，１９の第１の検出ランド２１の間に配置される第２の検出ランド２２の検出ランドの種類は、奇数種類に設定することが好ましい。これにより、検出部１６，１７を構成する第１の検出ランド２１及び第２の検出ランド２２を点対象に配置することができる。その結果、第１の検出ランド２１及び第２の検出ランド２２を接続するための配線２５ａも点対称に配置することができ、配線２５ａの設計を容易にすることが可能である。
【００７５】
＜２．第２の実施の形態例＞
次に、図１０Ａ及び図１０Ｂを参照して位置検出装置の第２の実施の形態例について説明する。この第２の実施の形態例にかかる位置検出装置５０と第１の実施の形態例にかかる位置検出装置１で異なるところは、検出部を構成する第１の検出部及び第２の検出部である。そのため、ここでは、第１の検出部及び第２の検出部について説明し、第１の実施の形態例にかかる位置検出装置１と共通する部分には同一の符号を付して重複した説明を省略する。
【００７６】
図１０Ａは、第１の検出部を示す平面図、図１０Ｂは、第２の検出部を示す平面図である。図１０Ａ及び図１０Ｂに示すように、この第２の実施の形態例にかかる位置検出装置５０は、第１の検出部５６と、第２の検出部５７を縞模様に配置したものである。
【００７７】
図１０Ａに示すように、第１の検出部５６は、検出領域５４の第１の方向Ｘに沿って並べられた５個の導体５８Ａ，５８Ｂ，５８Ｄ，５８Ｃ，５８Ｅを有している。第１の導体５８Ａは、検出領域５４における第１の方向Ｘの一端側（左側）に配置されており、第２〜第５の導体５８Ｂ〜５８Ｅは、第１の導体５８Ａの第１の方向Ｘの他端側（右側）に向けて順番に配置されている。
【００７８】
第１の導体５８Ａと第５の導体５８Ｅは、９個の略直角三角形状の第３の検出ランド６２を含む導体パターンを有している。９個の第３の検出ランド６２は、第２の方向Ｙと平行に所定の間隔を空けて直線状に並べて配置されている。なお、第１の導体５８Ａにおける第３の検出ランド６２は、その斜辺を第２の方向Ｙの他端側（下方側）に向けて並べられている。これに対して、第５の導体５８Ｅにおける第３の検出ランド６２は、その斜辺を第２の方向Ｙの一端側（上方側）に向けて並べられている。そして、９個の第３の検出ランド６２は、配線６７によって全て電気的に接続されている。更に、この配線６７は、静電結合測定部２７に接続されている。
【００７９】
第２〜第４の導体５８Ｂ〜５８Ｄは、９個の略平行四辺形状の第４の検出ランド６３を含む導体パターンを有している。この９個の第４の検出ランド６３は、第２の方向Ｙと平行に所定の間隔を空けて直線状に並べて配置されている。そして、第４の検出ランド６３の一辺が、隣り合う導体５８Ａ〜５８Ｅの第３の検出ランド６２の斜辺または第４の検出ランド６３の一辺と対向する。これらの９個の第４の検出ランド６３は、配線６７によって全て電気的に接続され、この配線６７は、静電結合測定部２７に接続されている。
【００８０】
これにより、検出領域５４には、第１の検出部５６の２つの第３の検出ランド６２と３個の第４の検出ランド６３が第１の方向Ｘと平行に列をなすように配置される。そして、第３の検出ランド６２と第４の検出ランド６３で形成される列は、第２の方向Ｙに沿って所定の間隔を空けて９列並べられている。
【００８１】
次に、図１０Ｂに示すように、第２の検出部５７は、第２の方向Ｙに沿って並べられた３個の導体５９Ａ，５９Ｂ，５９Ｃを有している。第１の導体５９Ａは、検出領域５４における第２の方向Ｙの一端側（上方側）に配置されており、第２の導体５９Ｂは、検出領域５４における第２の方向Ｙの略中央に配置されている。そして、第３の導体５９Ｃは、検出領域５４における第２の方向Ｙの他端側（下方側）に配置されている。
【００８２】
第１の導体５９Ａは、１個の第１の検出ランド７１と、１２個の第２の検出ランド７２と、１２個の第３の検出ランド７３、及び１２個の第４の検出ランド７４を含む導体パターンを有している。第１の検出ランド７１は、帯状に形成されており、検出領域５４の第１の方向Ｘと平行に、且つ第１の方向Ｘの一端から他端までの略全体にわたって延出されている。すなわち、第１の検出ランド７１は、第２の検出部５７が検出する方向と交差する方向に延出するように配置されている。
【００８３】
第２の検出ランド７２は、第３の検出ランド７３から第４の検出ランド７４にかけて順番に面積が小さくなっている。１２個の第３の検出ランド７３の面積と１２個の第４の検出ランド７４の面積の和は、第２の検出ランド７２と略等しくなるように設定されている。また、１２個の第３の検出ランド７３の面積の和が、第１の検出ランド７１の略半分に設定されている。
【００８４】
１２個の第２の検出ランド７２は、第１の方向Ｘに沿って所定の間隔を空けて一直線状に並べられている。そして、この一直線状に並べられた１２個の第２の検出ランド７２は、第１の検出ランド７１から第２の方向Ｙの他端側（下方側）に向けて所定の間隔を空けて配置されている。更に、１２個の第３の検出ランド７３及び１２個の第４の検出ランド７４も同様に、第１の方向Ｘに沿って所定の間隔を空けて一直線状に並べられて、１２個の第２の検出ランド７２から第２の方向Ｙの他端側（下方側）に向けて所定の間隔を空けて順番に配置されている。
【００８５】
すなわち、第２の検出ランド７２が第１の検出ランド７１の一番近くに配置され、第４の検出ランド７４が第１の検出ランド７１から一番遠くに配置されている。これにより、第２、第３、及び第４のそれぞれの検出ランド７２、７３，及び７４は、第１の検出ランド７１から離れるについて、すなわち隣接する第２の導体５９Ｂの第１の検出ランド７１に近づくにつれて、その面積が段階的に小さくなるように変化している。そして、この面積は、第２の導体５９Ｂの第１の検出ランド７１における第２の方向Ｙの距離に略比例して変化している。
【００８６】
そして、１個の第１の検出ランド７１、１２個の第２の検出ランド７２、１２個の第３の検出ランド７３、及び１２個の第４の検出ランド７４、は配線６７によって互いに電気的に接続されている。この配線６７が静電結合測定部２７に接続されているため、第１の導体５９Ａは、静電結合測定部２７と電気的に接続される。
【００８７】
第２の導体５９Ｂは、１個の第１の検出ランド７１と、２４個の第２の検出ランド７２、２４個の第３の検出ランド７３、及び２４個の第４の検出ランド７４を含む導体パターンを有している。第２の導体５９Ｂは、第１の導体５９Ａの配置例から更に３６個の検出ランドを設けたものである。すなわち、１個の第１の検出ランド７１から第２の方向Ｙの両端側に向けて、７２個の検出ランドが配置されている。２４個の第２の検出ランド７２、２４個の第３の検出ランド７３、及び２４個の第４の検出ランド７４は、第１の検出ランド７１の長手方向の中心を基準として点対称となるように配置されている。
【００８８】
また、第２の導体５９Ｂの第１の検出ランド７１は、第１の導体５９Ａの第１の検出ランド７１から第２の方向Ｙの他端側（下方側）へ所定の間隔を空けて配置されている。
【００８９】
そして、第２の導体５９Ｂは、第１の導体５９Ａと同様に、配線６７によって、１個の第１の検出ランド７１及び７２個から成る、２４個の第２の検出ランド７２、２４個の第３の検出ランド７３、及び２４個の第４の検出ランド７４が互いに電気的に接続され、静電結合測定部２７に接続されている。
【００９０】
次に、第３の導体５９Ｃは、第１の導体５９Ａと同様に、１個の第１の検出ランド７１と、１２個の第２の検出ランド７２と、１２個の第３の検出ランド７３、及び１２個の第４の検出ランド７４を含む導体パターンを有している。第３の導体５９Ｃでは、これら３６個の検出ランドが第１の検出ランド７１から第２の方向Ｙの一端側（上方側）に向けて配置されている。第３の導体５９Ｃの第１の検出ランド７１は、第２の導体５９Ｂの第１の検出ランド７１から第２の方向Ｙに所定の間隔を空けて配置されている。
【００９１】
図１０Ｂに示すように、３個の導体５９Ａ〜５９Ｃを、検出領域５４の第２の方向Ｙに沿って並べると、第２の検出ランド７２、第３の検出ランド７３、及び第４の検出ランド７４が、隣り合う２つの導体５９Ａ〜５９Ｃを構成する、それぞれの第１の検出ランド７１の間に配置される。このとき、所定の間隔を空けて一直線状に並べられた１２個の第２の検出ランド７２の間に、隣り合う導体５９Ａ〜５９Ｃの１２個の第４の検出ランド６４が配置される。そのため、１２個の第２の検出ランド６２と１２個の第４の検出ランド６４が一直線状に交互に並べられた検出導体（５９Ａ、５９Ｂ、５９Ｃ）の列が形成される。
【００９２】
更に、所定の間隔を空けて一直線状に並べられた１２個の第３の検出ランド７３の間に、隣り合う導体５９Ａ〜５９Ｃを構成する１２個の第３の検出ランド７３が配置され、２４個の第３の検出ランド７３が一直線状に並べられた検出導体の列が形成される。その結果、検出領域５４には、第２の検出部５７の第１の検出ランド７１及び第２の検出ランド７２が第１の方向Ｘと平行に列をなして配置される。この第１の検出ランド７１、第２の検出ランド７２、第３の検出ランド７３、及び第４の検出ランド７４で形成される列は、第２の方向Ｙに沿って所定の間隔を空けて形成されている。
【００９３】
このような構成を有する第１の検出部５６と第２の検出部５７を重ね合わせると、第１の検出部５６の検出ランドの列と第２の検出部５７の検出ランドの列が第２の方向Ｙに沿って交互に配置される。
【００９４】
その他の構成は、第１の実施の形態にかかる位置検出装置１と同様であるため、それらの説明は省略する。このような構成を有する位置検出装置５０によっても、上述した第１の実施の形態例にかかる位置検出装置１と同様の作用効果を得ることができる。
【００９５】
なお、この第２の実施の形態例では、第２の検出部５７を構成する各導体に備えられた検出ランドの種類を３種類としたが、４種類以上としてもよい。更に、第１の検出部５６と第２の検出部５７をそれぞれ９０度回転させて配置してもよい。
【００９６】
なお、本発明は前述しかつ図面に示した実施の形態に限定されるものではなく、特許請求の範囲に記載した本発明の要旨を逸脱しない範囲内で種々の変形実施が可能である。例えば、上述した実施の形態例では、検出ランドの形状を略四角形状に形成した例を説明したが、これに限定されるものではない。例えば、検出ランドの形状を、六角形状や円形状に形成してもよい。ここで、検出ランドの形状が六角形状の場合は、複数の検出ランドを蜂の巣状に配置することが好ましい。
【００９７】
また、検出ランドのそれぞれは、例えば、ＩＴＯ（Ｉｎｄｉｕｍ−Ｔｉｎ−Ｏｘｉｄｅ）による透明電極膜で生成されるが、これに限るものではなく、銅を材料とした導体で形成することもできる。更に、センサを構成する第１の検出部と第２の検出部は、ガラス等の基板の一面に第１の検出部と第２の検出部が共に、互いが電気的に絶縁されて重ねて配置される構成の他に、例えば第１の検出部が基板の一面に配置され、第２の検出部が基板の他面に配置される構成であっても良い。
【００９８】
また、筐体及び入力部の形状を四角形として説明したが、筐体及び入力部の形状は、円形、三角形、六角形、八角形等でもよいことは勿論である。
【符号の説明】
【００９９】
１，５０…位置検出装置、  ４…入力部、  １１，３１…センサ、  １４，３４，５４…検出領域、  １６，３６，５６…第１の検出部、  １７，３７，５７…第２の検出部、  １８Ａ，１８Ｂ，１８Ｃ，１８Ｄ,１９Ａ，１９Ｂ,１９Ｃ,３８ａ，３８ｂ,５８Ａ，５８Ｂ，５８Ｃ，５８Ｄ，５９Ｅ，５９Ａ,５９Ｂ，５９Ｃ…導体、  ２1，４０，７１…第１の検出ランド、  ２２，４１，７２…第２の検出ランド、  ２３，７３…第３の検出ランド、２４，７４…第４の検出ランド、  ２７…静電結合測定部、  ２８…処理回路
【図１】
2011022843.tif 000003
【図２】
2011022843.tif 000004
【図３】
2011022843.tif 000005
【図４】
2011022843.tif 000006
【図５】
2011022843.tif 000007
【図６】
2011022843.tif 000008
【図７】
2011022843.tif 000009
【図８】
2011022843.tif 000010
【図９】
2011022843.tif 000011
【図１０】
2011022843.tif 000012
【図１１】
2011022843.tif 000013